(57)【要約】【課題】短い日数かつ低コストで太陽光パネルを設置する方法及び構造を提供する。【解決手段】傾斜地（S）に太陽光発電のための太陽光パネル（4）を設置する方法であって、前記傾斜地（S）に穿孔（5）を形成する工程と、１脚を１組とする棒状の支持材（1）の上端から所定の長さの立ち上がり部（1a）が前記傾斜地（S）の表面から立ち上がるように前記支持材（1）を前記穿孔（5）に挿入する工程と、前記支持材（1）における前記穿孔（5）に挿入した部分を固定する工程と、前記支持材（1）の上端近傍に台座（3）を固定する工程と、前記台座（3）上に、前記太陽光パネル（4）の設置角度を調整可能である接続部材（2）を介して前記太陽光パネル（4）を設置する工程と、を有する。【選択図】図１
2014169530.tif 000002
【特許請求の範囲】
【請求項１】
傾斜地（S）に太陽光発電のための太陽光パネル（4）を設置する方法であって、
前記傾斜地（S）に穿孔（5）を形成する工程と、
１脚を１組とする棒状の支持材（1）の上端から所定の長さの立ち上がり部（1a）が前記傾斜地（S）の表面から立ち上がるように前記支持材（1）を前記穿孔（5）に挿入する工程と、
前記支持材（1）における前記穿孔（5）に挿入した部分を固定する工程と、
前記支持材（1）の上端近傍に台座（3）を固定する工程と、
前記台座（3）上に、前記太陽光パネル（4）の設置角度を調整可能である接続部材（2）を介して前記太陽光パネル（4）を設置する工程と、を有することを特徴とする
傾斜地への太陽光パネルの設置方法。
【請求項２】
傾斜地（S）に太陽光発電のための太陽光パネル（4）を設置する方法であって、
前記傾斜地（S）に２つ乃至４つの穿孔（5）を形成する工程と、２脚乃至４脚を１組とする棒状の支持材（1）の上端から所定の長さの立ち上がり部（1a）が前記傾斜地（S）の表面から立ち上がるように各々の前記支持材（1）を各々の前記穿孔（5）にそれぞれ挿入する工程と、
各々の前記支持材（1）における前記穿孔（5）に挿入した部分をそれぞれ固定する工程と、
２脚乃至４脚の前記支持材（1）の各々の立ち上がり部（1a）に対し取付位置を調整可能にそれぞれ取り付けられた接続部材（2A）を介して台座（3A,3B）を固定する工程と、
前記太陽光パネル（4）を前記台座（3A,3B）上に設置する工程と、を有し、
前記接続部材（2A）の取付位置の調整により前記太陽光パネル（4）の設置角度が調整されることを特徴とする
傾斜地への太陽光パネルの設置方法。
【請求項３】
傾斜地（S）における太陽光発電のための太陽光パネル（4）の設置構造であって、
前記傾斜地（S）に形成された穿孔（5）と、
上端から所定の長さの立ち上がり部（1a）が前記傾斜地（S）の表面から立ち上がるように前記穿孔（5）に挿入されかつ前記穿孔（5）に挿入した部分を固定された１脚を１組とする棒状の支持材（1）と、
前記支持材（1）の上端近傍に固定された台座（3）と、
設置される前記太陽光パネル（4）と前記台座（3）の間に介在しかつ前記太陽光パネルの設置角度を調整可能である接続部材（2）と、を有することを特徴とする
傾斜地への太陽光パネルの設置構造。
【請求項４】
傾斜地（S）における太陽光発電のための太陽光パネル（4）の設置構造であって、
前記傾斜地（S）に形成された２つ乃至４つの穿孔（5）と、
各々の上端から所定の長さの立ち上がり部（1a）が前記傾斜地（S）の表面から立ち上がるように各々の前記穿孔（5）にそれぞれ挿入されかつ各々の前記穿孔（5）に挿入した部分をそれぞれ固定された２脚乃至４脚を１組とする棒状の支持材（1）と、
２脚乃至４脚の前記支持材（1）の各々の立ち上がり部（1a）に対し取付位置を調整可能にそれぞれ取り付けられた接続部材（2A）と、
前記太陽光パネル（4）を設置するべく前記接続部材（2A）により固定された台座（3A,3B）と、を有し、
前記接続部材（2A）の取付位置の調整により前記太陽光パネル（4）の設置角度が調整されることを特徴とする
傾斜地への太陽光パネルの設置構造。
【発明の詳細な説明】
【技術分野】
【０００１】
本発明は、主に切土法面や盛土法面又は自然斜面等の傾斜地に対し、太陽光発電のための太陽光パネルを設置する方法及びその設置構造に関する。
【背景技術】
【０００２】
太陽光パネルを設置する場合、通常、基礎コンクリート工事を行い、その基礎の上に架台を構築し、さらにその架台の上に太陽光パネルを取り付ける方法が広く採用されている（例えば特許文献１）。
【０００３】
法面等の傾斜地へ太陽光パネルを設置する方法として、「地山等の法面上に設置された受圧板、擁壁、土留め部材、法枠又はこれに類似するモルタル・コンクリートから成るセメント構造物に対して架台等の取付け手段を介在して取付固定した太陽電池。」が開示されている（特許文献２）。
【０００４】
同様に傾斜地への太陽光パネルを設置する方法として、「既設または新設の法面部に太陽エネルギー変換装置を設置して形成する法面構造において、前記法面部上に直接あるいは間接的に支持部材を突出して設け、前記太陽エネルギー変換装置は、装置基体と、装置基体の側縁もしくは裏面設けられた取付部材を有し、前記支持部材に太陽エネルギー変換装置の取付部材を取り付けることを特徴とする法面構造。」が開示されている（特許文献３）。
【先行技術文献】
【特許文献】
【０００５】
【特許文献１】特開２００５−３５８４９号公報
【特許文献２】特開平７−３１０９５６号公報
【特許文献３】特開２００５−１７１６７１号公報
【発明の概要】
【発明が解決しようとする課題】
【０００６】
法面等の傾斜地上における太陽光パネルを設置において、特許文献１のような一般的な構造物の構築において採用される基礎コンクリート工事、架台構築工事、及び太陽光パネル設置工事で構成する方法を採用した場合、相応の工期が必要であると同時に高コストとならざるを得ない。
【０００７】
また、特許文献２、３のように法枠工、擁壁工を始めとする法面保護を目的に施工された構造物に太陽光パネルを張り付ける方法は、法面保護構造物の副次的利用という観点から有効ではあるが、設置場所は法面保護構造物が施工されている箇所に限定され、これらの箇所は概して急勾配法面であることから、必ずしも太陽光発電に適した立地とは限らない。
【０００８】
地形的に急峻な我が国には、道路、鉄道、団地造成などで出現する広大な切土法面や盛土法面があり、こうした斜面を太陽光発電の場として有効活用するためには、短い日数かつ低コストで太陽光パネルを設置する方法及び構造が求められる。本発明の目的は、斯かる傾斜地への太陽光パネルの設置方法及び設置構造を提供することである。
【課題を解決するための手段】
【０００９】
上記の目的を達成するために、本発明は、以下の構成を提供する。なお、括弧内の数字は、後述する図面中の符号であり、参考のために付する。
【００１０】
本発明の第１の態様は、傾斜地（S）に太陽光発電のための太陽光パネル（4）を設置する方法であって、前記傾斜地（S）に穿孔（5）を形成する工程と、１脚を１組とする棒状の支持材（1）の上端から所定の長さの立ち上がり部（1a）が前記傾斜地（S）の表面から立ち上がるように前記支持材（1）を前記穿孔（5）に挿入する工程と、前記支持材（1）における前記穿孔（5）に挿入した部分を固定する工程と、前記支持材（1）の上端近傍に台座（3）を固定する工程と、前記台座（3）上に、前記太陽光パネル（4）の設置角度を調整可能である接続部材（2）を介して前記太陽光パネル（4）を設置する工程と、を有することを特徴とする。
【００１１】
本発明の第２の態様は、傾斜地（S）に太陽光発電のための太陽光パネル（4）を設置する方法であって、前記傾斜地（S）に２つ乃至４つの穿孔（5）を形成する工程と、２脚乃至４脚を１組とする棒状の支持材（1）の上端から所定の長さの立ち上がり部（1a）が前記傾斜地（S）の表面から立ち上がるように各々の前記支持材（1）を各々の前記穿孔（5）にそれぞれ挿入する工程と、各々の前記支持材（1）における前記穿孔（5）に挿入した部分をそれぞれ固定する工程と、２脚乃至４脚の前記支持材（1）の各々の立ち上がり部（1a）に対し取付位置を調整可能にそれぞれ取り付けられた接続部材（2A）を介して台座（3A,3B）を固定する工程と、前記太陽光パネル（4）を前記台座（3A,3B）上に設置する工程と、を有し、前記接続部材（2A）の取付位置の調整により前記太陽光パネル（4）の設置角度が調整されることを特徴とする。
【００１２】
本発明の第３の態様は、傾斜地（S）における太陽光発電のための太陽光パネル（4）の設置構造であって、前記傾斜地（S）に形成された穿孔（5）と、上端から所定の長さの立ち上がり部（1a）が前記傾斜地（S）の表面から立ち上がるように前記穿孔（5）に挿入されかつ前記穿孔（5）に挿入した部分を固定された１脚を１組とする棒状の支持材（1）と、前記支持材（1）の上端近傍に固定された台座（3）と、設置される前記太陽光パネル（4）と前記台座（3）の間に介在しかつ前記太陽光パネルの設置角度を調整可能である接続部材（2）と、を有することを特徴とする。
【００１３】
本発明の第４の態様は、傾斜地（S）における太陽光発電のための太陽光パネル（4）の設置構造であって、前記傾斜地（S）に形成された２つ乃至４つの穿孔（5）と、各々の上端から所定の長さの立ち上がり部（1a）が前記傾斜地（S）の表面から立ち上がるように各々の前記穿孔（5）にそれぞれ挿入されかつ各々の前記穿孔（5）に挿入した部分をそれぞれ固定された２脚乃至４脚を１組とする棒状の支持材（1）と、２脚乃至４脚の前記支持材（1）の各々の立ち上がり部（1a）に対し取付位置を調整可能にそれぞれ取り付けられた接続部材（2A）と、前記太陽光パネル（4）を設置するべく前記接続部材（2A）により固定された台座（3A,3B）と、を有し、前記接続部材（2A）の取付位置の調整により前記太陽光パネル（4）の設置角度が調整されることを特徴とする。
【発明の効果】
【００１４】
本発明による傾斜地への太陽光パネルの設置方法によれば、１脚を１組とする、又は、２脚乃至４脚を１組とする棒状の支持材を傾斜地に立設し、棒状の支持材により支持される台座に対して太陽光パネルを取り付けることが可能となる。この簡易な構造により、大面積の傾斜地や凹凸のある傾斜に対して少ない日数でかつ低コストに太陽光パネルを設置することができる。
【００１５】
さらに角度調整可能に太陽光パネルを取り付けることにより、太陽の位置の季節変動に対して太陽光パネルの角度を適切に調整することができる。
【００１６】
また、１脚の支持材は、傾斜地に沿って隣接する前後左右又は斜方向に位置する太陽光パネルの支持材として共有できるので、太陽光パネルを施工対象となる傾斜地の全面又は一部分において連続的に配置する場合に効率的に設置できる。
【図面の簡単な説明】
【００１７】
【図１】図１（ａ）〜（ｅ）は、本発明の一実施の形態に係る、傾斜地への太陽光パネルの設置方法の各工程を示した図であり、（ｆ）は太陽光パネルの角度を変えた状態を示す図である。
【図２】図２は、図１の設置方法により設置された複数の太陽光パネルの平面図である。
【図３】図３は、本発明の別の実施の形態に係る、傾斜地への太陽光パネルの設置方法及びそれにより構築された１つの設置構造を示した図である。
【図４】図４は、図３に示した太陽光パネルの１組の設置構造を、傾斜地上に隣り合わせで２組配置した状態の平面図である。
【図５】図５は、別の形態に係る太陽光パネルの１組の設置構造を、傾斜地上に隣り合わせで３組配置した状態の平面図である。
【図６】図６は、図３に示した太陽光パネルの１組の設置構造を、傾斜地上に前後左右に４組配置した状態の平面図である。
【発明を実施するための形態】
【００１８】
以下、一実施例を示した図面を参照して本発明の実施の形態を説明する。
図１（ａ）〜（ｅ）は、本発明の一実施の形態に係る、傾斜地への太陽光パネルの設置方法の各工程を示した図であり、（ｆ）は太陽光パネルの角度を変えた状態を示す図である。図２は、図１の設置方法により設置された複数の太陽光パネルの平面図である。
【００１９】
施工対象となる傾斜地Ｓは、切土法面、盛土法面、自然斜面などが代表的である。これらの中でも、比較的勾配が緩い盛土法面は特に好適である。本発明は、平坦地でも実施可能であることはいうまでもないが、平坦地では施工機械や工事車両及び資材の搬入が容易であるので、一般的な工事手法を採用することができる。本発明は、施工機械等及び資材の搬入が困難な傾斜地において、効率よく太陽光パネルを設置することを実現するものである。
【００２０】
図１（ａ）に示すように、まず傾斜地Ｓを掘削して穿孔５を形成する。この工程は、傾斜地Ｓに支持材１を挿入して固化するために行う。穿孔５の掘削は、通常、削孔機により行い、土質条件や立地条件等に応じて予め設定された孔径、孔長となるように行う。削孔機は、土質条件や立地条件に応じて、削岩機、レッグハンマ、クローラドリル、バックホウ式ドリル、クレーン式ドリル、ボーリングマシン（単管又は二重管）などが用いられる。削孔機を必要としない場合は人力による穿孔も可能である。
【００２１】
必要に応じて、穿孔５の孔内をエアー清掃した後、図１（ｂ）に示すように１脚を１組とする棒状の支持材１を挿入する。ここで、「脚」とは太陽光パネルの１つの設置構造における支持材の数を、「組」とは１つの設置構造における太陽光パネルの数を指す。支持材１は上端から所定の長さの立ち上がり部１ａを有している。この立ち上がり部１ａが傾斜地Ｓの表面から立ち上がるように支持材１を穿孔５に挿入する。また、支持材１が穿孔５の中心に位置するように支持材１の周囲にスペーサ１ｂを設けて調整することが好ましい。スペーサ１ｂは、支持材１を挿入する前に予め取り付けておく。
【００２２】
因みに、一般的な法面保護工で適用される地山補強土工（鉄筋挿入工、ロックボルト工ともいう）においても、法面に形成した穿孔に棒状の補強材を挿入する。しかし、地山補強土工における補強材と、本発明における支持材とは、機能的に異なるものである。地山補強土工の補強材において地表面から出た部分は、頭部処理（プレート及びナットによる傾斜地への固定）できる程度の短い余長のみを有し、地山と地山中に挿入打設された補強材との相互作用によって補強土塊の挙動特性や強さなどを改善する効果を発揮する。これに対し、本発明の支持材は、その上端部にて太陽光パネルを支持するためのものであるので、地表面から太陽光パネルの設置位置までの高さを確保できる所定の長さの立ち上がり部を有する。また、本発明の支持材は、傾斜地を安定化させる機能を備える必要はない。
【００２３】
支持材１の素材は特に限定されないが、難腐食性の鋼材や、防錆処理を施した鉄筋を用いるとよい。支持材の腐食防止方法としては、支持材に亜鉛メッキ、エポキシ樹脂、飽和ポリエステルなどをコーティングするなど、公知の防錆方法を適用できる。（後述する他の実施例の支持材においても同様）
【００２４】
支持材１の立ち上がり部１ａの長さは、設置される太陽光パネル４の地表面からの高さとほぼ同程度になるので、傾斜地の地質条件及び立地条件等に応じて適宜設定する。支持材１の穿孔５への挿入部分の長さについても同様に適宜設定する。（後述する他の実施例の支持材においても同様）
【００２５】
なお、次の工程で行う穿孔５への固化材注入を容易にするために、予め支持材１に対しその下端部まで延在する注入ホースを取り付ける加工を施した後に、穿孔５に挿入してもよい。
【００２６】
支持材１の挿入、建て込みが完了した後、図１（ｃ）に示すように、穿孔５内に固化材６を注入し、穿孔５の開口部まで充填する。固化材６の注入は、注入ホース及び注入ポンプを用いて行うことが効率的である。予め調製された固化材（充填材ともいう）６を圧送し、通常は穿孔５の孔底から順次注入する。
【００２７】
固化材６として、一般的にセメントミルク（セメント、混和剤、水などを混合したもの）が使用されるが、樹脂等の可塑性物質を使用してもよい。固化材６の種類は、傾斜地の地質条件及び立地条件等に応じて決定される。注入後は、所定の養生期間を経て固化材６が固化することにより、支持材１における穿孔５に挿入した部分が地山と一体化され固定される。
【００２８】
また、別の実施例として、固化材を用いず、支持材１の挿入後にその定着部分に取り付けられた固定装置により機械的に支持材１の下端部形状を拡張させて抜け止めとし、固定するという機械的な固定方法を採用することも可能である。
【００２９】
次に、図１（ｄ）に示すように、支持材１の上端近傍に台座３を固定する。台座３は、図示の例では平面部を備えた皿状である。図示の例では、支持材１の上端から突出するネジ部（図示せず）を形成し、ネジ部を台座３に貫通させてナット３ａを用いて固定している。支持材１への台座３の固定方法は、特に限定されない。通常、台座３の平面部が、支持材１の軸に対して垂直となるように固定する。図示の例では、台座３を支持材１の上端に載置しているが、台座３の固定位置は支持材１の上端近傍であればよい。
【００３０】
台座３の素材及び形状は特に限定されない。設置される太陽光パネルと同程度の大きさであって、外郭形状が四角形又はその他の多角形のフレーム部材又はパネル部材が好適である。
【００３１】
続いて、図１（ｅ）に示すように台座３上に複数の接続部材２の下端を固定し、太陽光パネル４を複数の接続部材２の上端に設置する。長さの異なる複数の接続部材２を組み合わせることにより、太陽光パネル４の台座３の平面部に対する角度を設定できる。このような接続部材２を用いることにより、例えば傾斜地の凹凸が大きいために支持材１の挿入角度を一律に施工することが困難な場合でも、太陽光パネルの設置角度を容易に調整することができる。なお、接続部材２の具体的構成は特に限定されない。例えば、高さ調整用のピン、シリンダー、ボルト、アジャスター等を接続部材２として用いることができる。
【００３２】
そして、図１（ｆ）に示すように接続部材２の長さを変えることにより、太陽光パネル４の角度を変更できる。このように、接続部材２により太陽光パネル４の設置角度を調整できる。
【００３３】
以上の工程により、傾斜地への太陽光パネルの設置構造が構築される。１脚を１組とする棒状の支持材により太陽光パネルを支持することが可能であり、かつ、設置角度の調整も可能となる。このような簡易な設置方法及び設置構造により、少ない日数で経済的に、かつ、大面積の傾斜地や凹凸のある傾斜地に対して太陽光パネルを設置することができる。さらに、季節変動がある太陽の位置に応じて太陽光パネルの位置を調整できるため、太陽光発電の効率を高めることが可能となる。
【００３４】
図２は、図１の設置方法により完成した太陽光パネルの設置構造を、傾斜地Ｓ上に縦横３列に配置した状態の平面図である。この実施例では、１つの設置構造において接続部材２を４箇所に用いているが、接続部材２の数はこれに限られない。
【００３５】
なお、図示の例では、太陽光パネル４の面積よりも台座３の面積が小さく示されているが、太陽光パネル４の面積が台座３の面積より大きくても差し支えない（以下の他の実施形態においても同様）。また、太陽光パネル４の形状も図示のものに限らない。
【００３６】
図３は、本発明の別の実施の形態に係る、傾斜地への太陽光パネルの１つの設置構造を示した図である。図４は、図３に示した太陽光パネルの１組の設置構造を、傾斜地上に隣り合わせで２組配置した状態の平面図である。図４では、２枚の太陽光パネルを設置した場合を示しているが、実際には傾斜地の全面、又は一部分にさらに多くの太陽光パネルを連続的に設置できる。
【００３７】
工程図は示さないが、図３の設置構造を構築するための設置方法は、図１に示した（ａ）傾斜地Ｓへの穿孔５の形成工程、（ｂ）支持材１の建て込み工程、（ｃ）固化材６の注入工程までが共通する。但し、この実施形態では、２つの穿孔５を形成し、２脚を１組とする棒状の支持材１の各々を各穿孔５に挿入して建て込み、それぞれ固化材６を注入する。２つの穿孔５の位置関係は、後述する太陽光パネルの設置位置との関係で適宜設定される。
【００３８】
所定の養生期間を経て固化材６が固化した後、２脚の支持材１の各々の立ち上がり部１ａの所定の位置に、接続部材２Ａをそれぞれ取り付ける。接続部材２Ａは、立ち上がり部１ａの範囲内で上下方向における取付位置を調整可能である。接続部材２Ａの上下方向の調整においては、接続部材２Ａが立ち上がり部１ａに対してスライド自在であり、任意の位置で固定可能とすることが好適である（以下の他の実施形態においても同様）。
【００３９】
その後、２つの接続部材２Ａを用いて台座３Ａを固定する。この際、架橋部２Ａ１（図４参照）を伸縮可能な機構とするか、又は、台座３Ａを網状体とすることが好適である。架橋部２Ａ１を伸縮可能とするか、又は、台座３Ａを網状体とすることにより、台座３Ａのある程度の伸縮が可能となるため、傾斜地で問題となる風荷重を軽減できる。なお、図４に示すように、台座３Ａの外郭形状は四角形であり、その対向する２つの辺の中間位置にて接続部材２Ａに固定される。接続部材２Ａと台座３Ａの接続部分の具体的構造は、特に限定されない。
【００４０】
最後に、台座３Ａの上面に太陽光パネル４を設置する。太陽光パネル４の台座３Ａの上面への固定方法は特に限定されない。各接続部材２Ａの取付位置を上下方向に調整することにより、台座３Ａすなわち太陽光パネル４の設置角度を調整することができる。
【００４１】
以上の工程により、傾斜地への太陽光パネルの設置構造が構築される。２脚１組の棒状の支持材により太陽光パネルを支持することが可能であり、かつ、設置角度の調整も可能となる。このような簡易な設置方法及び設置構造により、少ない日数で経済的に、かつ、大面積の傾斜地や凹凸のある傾斜地に対して太陽光パネルを設置することができる。さらに、季節変動がある太陽の位置に応じて太陽光パネルの位置を調整できるため、太陽光発電の効率を高めることが可能となる。
【００４２】
図４の平面図を参照すると、接続部材２Ａにおける台座３Ａと直接接続されている架橋部２Ａ１を軸回りで回転可能としかつ任意の角度位置で固定可能とした場合、図３で示した接続部材２Ａによる角度調整とは異なる方向について太陽光パネル４の角度調整が可能となる。これらの２つの角度調整機構を組み合わせることにより、太陽光パネル４の設置角度を広範囲に調整することが可能となる。
【００４３】
なお、台座３Ａにおいて、接続部材２Ａにより支持されていない縁部３Ａ１は、風の影響等により太陽光パネルが不安定になり易い。この場合、例えば、縁部３Ａ１を、傾斜地Ｓに打設した簡易なアンカー等にロープ等を介して連結することにより、安定化させることができる。また、網状体の変形や弛みを防止するために、網状体の周囲全体又は一部の縁部に補強材（図中、太線で示している）を設けることが好ましい。
【００４４】
図５は、別の形態に係る太陽光パネルの１組の設置構造を、傾斜地上に隣り合わせで３組配置した状態の平面図である。図５では、３枚の太陽光パネルを設置した場合を示しているが、実際には傾斜地の全面、又は一部分にさらに多くの太陽光パネルを連続的に設置できる。この台座３Ｂは、網状体でありその外郭形状は三角形である。図示の例では、傾斜地上に３つの設置構造を一列に並べて配置している。１枚の台座３Ｂは、その３つの頂点位置にて、３脚を１組とする支持材１の各々に取り付けられた接続部材２Ａに固定されている。また、１つの支持材１は、２枚又は３枚の台座３Ｂに共有させることができる。但し、接続部材２Ａは各台座３Ｂ毎に設けられており、１つの支持材１の上下方向における異なる位置に２つ又は３つの接続部材２Ａがそれぞれ取り付けられる。なお、図示の略正三角形の台座３Ｂの場合、１つの支持材１を最大６枚の台座３Ｂが共有することができる。
【００４５】
図５に示した３脚１組の支持材１による設置構造は、図３に示した２脚１組の支持材による設置構造に比べて風の影響を受け難く安定する。また、３つの頂点における接続部材２Ａの上下位置を調整することにより、図３の２つの接続部材２Ａのみの上下位置の調整による場合に比べてより細かい角度調整が可能となる。
【００４６】
図６は、図３に示した太陽光パネルの１組の設置構造を、傾斜地上に前後左右に４組配置した状態の平面図である。図６では、４枚の太陽光パネルを設置した場合を示しているが、実際には傾斜地の全面、又は一部分にさらに多くの太陽光パネルを連続的に設置できる。この台座３Ａは、網状体でありその外郭形状は図３と同じ四角形である。図示の例では、傾斜地上に４つの設置構造を隣り合わせに並べて配置している。この場合、１枚の台座３Ａは、その４つの頂点位置にて、４脚を１組とする支持材１の各々に取り付けられた接続部材２Ａに固定されている。また、１つの支持材１は、２枚〜４枚の台座３Ａに共有させることができる。但し、接続部材２Ａは各台座３Ａ毎に設けられており、１つの支持材１の上下方向における異なる位置に２つ〜４つの接続部材２Ａがそれぞれ取り付けられる。
【００４７】
図６に示した４脚１組の支持材１による設置構造は、図３に示した２脚１組の支持材による設置構造に比べて風の影響を受け難く安定する。また、４つの頂点における接続部材２Ａの上下位置を調整することにより、図３の２つの接続部材２Ａのみの上下位置の調整による場合に比べてより細かい角度調整が可能となる。
【符号の説明】
【００４８】
１  支持材
１ａ  立ち上がり部
１ｂ  スペーサ
２、２Ａ  接続部材
２Ａ１  架橋部
３、３Ａ、３Ｂ  台座
３Ａ１、３Ｂ１  縁部
３ａ  ナット
４  太陽光パネル
５  穿孔
６  固化材
Ｓ  傾斜地
【図１】
2014169530.tif 000003
【図２】
2014169530.tif 000004
【図３】
2014169530.tif 000005
【図４】
2014169530.tif 000006
【図５】
2014169530.tif 000007
【図６】
2014169530.tif 000008